(57)【要約】【課題】仕切用付帯物を閉じていても外部への窓開口のパネルと仕切用付帯物との間の開口側空間と居室との間の熱移動を簡単な構成で効率的に行うことができる開口付建物構造を提供すること。【解決手段】建物に外部への開口１０及び該開口１０に臨む居室１２が設けられ、前記開口１０がパネル（ガラス戸１１）で閉成されていると共に、前記居室１２と前記パネル（ガラス戸１１）との間に開口側空間１５を形成する仕切用付帯物（障子１３）が設けられている。しかも、前記仕切用付帯物（障子１３）の上端部及び下端部に通気口（上部通気口１６，下部通気口１７）がそれぞれ設けられている。【選択図】  図１
2005299229.tif 000002
【特許請求の範囲】
【請求項１】
建物に外部への開口及び該開口に臨む居室が設けられ、前記開口がパネルで閉成されて
いると共に、前記居室と前記パネルとの間に開口側空間を形成する仕切用付帯物が設けら
れた開口付建物構造であって、
前記仕切用付帯物の上端部及び下端部に通気口がそれぞ設けられていることを特徴とす
る開口付建物構造。
【請求項２】
前記開口は太陽光が入射可能な向きに設けられ、前記パネルは太陽光が透過可能な透光
部材であることを特徴とする請求項１に記載の開口付建物構造。
【請求項３】
前記通気口は開閉可能に設けられていることを特徴とする請求項１又は２に記載の開口
付建物構造。
【請求項４】
前記開口側空間は廊下又は縁側の開口側空間であり、前記仕切用付帯物は障子であるこ
とを特徴とする請求項１〜３のいずれか一つに記載の開口付建物構造。
【発明の詳細な説明】
【技術分野】
【０００１】
この発明は、建物の開口に設けたパネルと居室との間に居室と区画された開口側空間を
形成する仕切用付帯物が設けられた開口付建物構造に関するものである。
【背景技術】
【０００２】
この種の開口付建物構造としては、例えば図４に示したように、建物１に外部への開口
２及びこの開口２に臨む居室３を設け、この開口２をガラス戸（パネル）４で開閉可能に
閉成すると共に、居室３とガラス戸４との間に障子５を仕切用付帯物として設けることに
より、ガラス戸４と障子との間に縁側又は廊下等の床６を有する開口側空間７が設けたも
のが知られている。
【０００３】
また、開口付建物構造としては、建物の外側壁に窓開口を設けて、この窓開口を窓ガラ
スで開閉可能に設けると共に、縦方向に細長い多数の断熱日射遮蔽板を横方向に折畳収納
可能に連設した断熱遮蔽体を設けて、この断熱遮蔽体で窓開口の居室側を遮蔽可能に設け
ることにより、遮熱・断熱性を向上させるようにしたものが知られている（例えば、特許
文献１参照）。
【０００４】
更に、開口付建物構造としては、建物の外側壁に窓開口を設けて、この窓開口を真空ペ
アガラス及びその内側に配設した単一ガラスで閉成して、真空ペアガラスと単一ガラスと
の間に通風路を設けて、通風路の空気を空調することにより、熱回収効率を向上させるよ
うにした二重窓ガラス構造が知られている（例えば特許文献２参照）。
【特許文献１】特開２００３−１０６０６３号公報
【特許文献１】特開２００２−１４７１３３号公報
【発明の開示】
【発明が解決しようとする課題】
【０００５】
しかしながら、断熱遮蔽体を用いた開口付建物構造や二重窓ガラス構造の開口付建物構
造はいずれも複雑な機構を有するという問題があった。
【０００６】
また、図４に示したような開口付建物構造では、仕切用付帯物としての障子５を閉じた
状態では、開口側空間７と居室との熱移動を行うことができないものであった。この開口
側空間７は一般的に断熱空間として利用されている。
【０００７】
また、図４に示したような開口付建物構造では、太陽８からの太陽光がガラス戸４を透
過して開口側空間７に入射すると、日射により開口側空間７の空気が暖められるので、冬
季等においては仕切用付帯物としての障子５を開放することで、開口側空間７の暖められ
た空気を居室３内に取り込むことができるのが望ましい。
【０００８】
しかし、仕切用付帯物としての障子５は、居室３外部からの目隠しの役割を持っている
ので、日射を取り入れるために開放したくても、外部からの視線が気になり開放できなか
った。
【０００９】
また、暖められた空気が開口側空間７の上部にあると共に冷たい空気が開口側空間７の
下部にあるため、障子５を開放すると、開口側空間７の上部の暖かい空気と下部の冷たい
空気が同時に居室３側に移動し、効率的な熱の移動をさせることができないものであった
。
【００１０】
そこで、この発明は、仕切用付帯物を閉じていても外部への窓開口のパネルと仕切用付
帯物との間の開口側空間と居室との間の熱移動を簡単な構成で効率的に行うことができる
開口付建物構造を提供することを目的とするものである。
【課題を解決するための手段】
【００１１】
この目的を達成するため、請求項１の発明は、建物に外部への開口及び該開口に臨む居
室が設けられ、前記開口がパネルで閉成されていると共に、前記居室と前記パネルとの間
に開口側空間を形成する仕切用付帯物が設けられた開口付建物構造であって、前記仕切用
付帯物の上端部及び下端部に通気口がそれぞれ設けられていることを特徴とする。
【００１２】
また、請求項２の発明は、前記開口は太陽光が入射可能な向きに設けられ、前記パネル
は太陽光が透過可能な透明部材であることを特徴とする。
【００１３】
更に、請求項３の発明は、前記通気口は開閉可能に設けられていることを特徴とする。
【００１４】
また、請求項４の発明は、前記開口側空間は廊下又は縁側の開口側空間であり、前記仕
切用付帯物は障子であることを特徴とする。
【発明の効果】
【００１５】
この請求項１の発明によれば、仕切用付帯物の上端部及び下端部に通気口が設けられて
いるので、仕切用付帯物を開かなくても、即ち仕切用付帯物を閉じていても、仕切用付帯
物の上下部の通気口を介して開口側空間と居室との間の熱移動を簡単な構成で効率的に行
うことができる。
【００１６】
即ち、開口側空間の空気が暖かい場合には、この空気は自然対流により仕切用付帯物の
上部の通気口を介して居室に流入する一方、居室内の冷たい空気が仕切用付帯物の下部の
通気口を介して開口側空間内に流入する。従って、冬季に有効である。また、開口側空間
の空気が冷たい場合には、この空気は自然対流により仕切用付帯物の下部の通気口を介し
て居室に流入する一方、居室内の暖かい空気が仕切用付帯物の上部の通気口を介して開口
側空間内に流入する。従って、夏季に有効である。
【００１７】
また、請求項２の発明によれば、前記開口は太陽光が入射可能な向きに設けられ、前記
パネルは太陽光が透過可能な透光部材であるので、冬季等において開口側空間の空気が日
射により暖められると、この暖められた空気は自然対流により仕切用付帯物の上部の通気
口を介して居室に流入する一方、居室内の冷たい空気が仕切用付帯物の下部の通気口を介
して開口側空間内に流入する。
【００１８】
更に、請求項３の発明によれば、前記通気口は開閉可能に設けられているので、開口側
空間と居室との熱移動が必要ない場合には通気口を閉じることができる。しかも、通気口
の開度を調整することで、熱移動量を調整できる。
【００１９】
また、請求項４の発明によれば、前記開口側空間は廊下又は縁側の開口側空間であり、
前記仕切用付帯物は障子である構成としたので、窓開口側からの光りが障子を介して居室
内にソフトに入射すると共に、開口側空間と居室との間の熱移動が障子に設けた通気口を
介して行われる。
【発明を実施するための最良の形態】
【００２０】
以下、この発明の実施の形態を図面に基づいて説明する。
[構成]
図１において、１０は建物の外部への開口、１１は開口１０の開閉を行う透光性ガラス
戸（パネル、透光部材）、１２は開口１０に臨む居室である。
【００２１】
この居室１２とガラス戸１１との間には障子１３が仕切用付帯物として設けられ、ガラ
ス戸１１と障子１３との間には縁側又は廊下等の床１４を有する開口側空間１５が設けら
れている。
【００２２】
この障子１３の上端部及び下端部には上部通気口１６及び下部通気口１７がそれぞれ設
けられている。この上部通気口１６及び下部通気口１７は図２，図３に示したような上ガ
ラリ１８及び下ガラリ１９によりそれぞれ開閉可能に設けられている。
【００２３】
この上ガラリ１８は、複数の平行な羽根板１８ａを上部通気口１６内に配設すると共に
、各羽根板１８ａを支持軸１８ｂにより障子１３の上端部に回動可能に取り付けたもので
ある。この複数の羽根板１８ａは互いに連動して開閉可能に設けられている。この連動構
造には周知の構成が採用できるので、その詳細な説明は省略する。
【００２４】
同様に下ガラリ１９は、複数の平行な羽根板１９ａを下部通気口１７内に配設すると共
に、各羽根板１９ａを支持軸１９ｂにより障子１３の下端部に回動可能に取り付けたもの
である。この複数の羽根板１９ａも互いに連動して開閉可能に設けられている。
[作用]
次に、このような開口付建物構造の作用を説明する。
＜冬季＞
このような開口付建物構造において開口１０は、太陽２０からの太陽光がガラス戸１１
を介して開口側空間１５内に入射可能な向きに設けられている。
【００２５】
そして、冬季昼間において太陽２０が出ている場合には、ガラリ１８，１９の羽根板１
８ａ，１９ａを図３に示したように開いておく。これにより、開口側空間１５の空気が太
陽２０による日射により暖められて、この暖められた空気は開口側空間１５の上部に移動
する。そして、この開口側空間１５の上部の暖められた空気Ａ１は、図１，図３に矢印２
１で示したように自然対流により仕切用付帯物である障子１３の上部通気口１６を介して
居室１２に流入して、居室１２内の空気を暖める。
【００２６】
これに伴い、居室１２内の下部の冷たい空気は、仕切用付帯物である障子１３の下部通
気口１７を介して開口側空間１５内に矢印２２で示したように流入する。そして、開口側
空間１５内に流入した冷たい空気は、日射により暖められて矢印２３で示したように開口
側空間１５内を上方に上昇させられ、上部通気口１６を介して居室１２に流入する。
【００２７】
このような空気の自然対流により、開口側空間１５と居室１２との間で効率的な熱移動
が行われ、居室１２内の温度が上昇させられる。
【００２８】
また、冬季昼間において太陽２０が出ていない場合や冬季夜間にガラリ１８，１９の羽
根板１８ａ，１９ａを図２に示したように開いておくと、居室１２内暖かい空気が上部通
気口１６を介して開口側空間１５内に流れる一方、開口側空間１５の下部の冷たい空気が
下部通気口１７を介して居室１２側に流れて、居室１２内の温度を下げてしまうことにな
る。
【００２９】
従って、冬季昼間において太陽２０が出ていない場合や冬季夜間には、ガラリ１８，１
９の羽根板１８ａ，１９ａを図２に示したように閉じておくことで、開口側空間１５と居
室１２との間での空気の移動（熱移動）が行われないようにして、開口側空間１５を効果
的な断熱の空間として使用できる。
【００３０】
このようにすることで、居室１２内を空調装置で空調している場合に、空調装置の負荷
を軽減できる。
＜夏季＞
また、夏季昼間において太陽２０が出ている場合には、ガラリ１８，１９の羽根板１８
ａ，１９ａを図３に示したように開いておくと、開口側空間１５内の暖められた温度の高
い空気が上部通気口１６を介して居室１２内に流れる一方、居室１２の下部の冷たい空気
が下部通気口１７を介して開口側空間１５側に流れて、居室１２内の温度を上昇させてし
まうことになる。
【００３１】
従って、夏季昼間において太陽２０が出ている場合には、ガラリ１８，１９の羽根板１
８ａ，１９ａを図２に示したように閉じておくことで、開口側空間１５と居室１２との間
での空気の移動（熱移動）が行われないようにできるので、居室１２内の空調を行ってい
る場合には開口側空間１５が断熱空間として機能して、効果的な断熱を行うことができる
。
【００３２】
このようにすることで、夏季昼間に居室１２内を空調装置で空調している場合に、空調
装置の負荷を軽減できる。
【００３３】
更に、夏季夜間には夏季昼間とは逆に空気が移動し、冷気が居室１２内に取り込まれる
。
【００３４】
このようにすることで、夏季夜間に居室１２内を空調装置で空調している場合に、空調
装置の負荷を軽減できる。
【００３５】
以上説明したように、この発明の実施の形態の開口付建物構造には、建物に外部への開
口１０及び該開口１０に臨む居室１２が設けられ、前記開口１０がパネル（ガラス戸１１
）で閉成されていると共に、前記居室１２と前記パネル（ガラス戸１１）との間に開口側
空間１５を形成する仕切用付帯物（障子１３）が設けられている。しかも、前記仕切用付
帯物（障子１３）の上端部及び下端部に通気口（上部通気口１６，下部通気口１７）がそ
れぞれ設けられている。
【００３６】
この構成によれば、仕切用付帯物（障子１３）の上端部及び下端部に通気口（上部通気
口１６，下部通気口１７）が設けられているので、仕切用付帯物（障子１３）を開かなく
ても、即ち仕切用付帯物を（障子１３）閉じていても、仕切用付帯物（障子１３）の上下
部の通気口（上部通気口１６，下部通気口１７）を介して開口側空間１５と居室１２との
間の熱移動を簡単な構成で効率的に行うことができる。しかも、このようにすることで、
居室１２内を空調装置で空調している場合に、空調装置の負荷を軽減できる。
【００３７】
即ち、開口側空間１５の空気が暖かい場合には、この空気は自然対流により仕切用付帯
物の上部の通気口（上部通気口１６）を介して居室１２に流入する一方、居室１２内の冷
たい空気が仕切用付帯物（障子１３）の下部の通気口（下部通気口１７）を介して開口側
空間１５内に流入する。従って、冬季に有効である。また、開口側空間１５の空気が冷た
い場合には、この空気は自然対流により仕切用付帯物（障子１３）の下部の通気口（下部
通気口１７）を介して居室１２に流入する一方、居室１２内の暖かい空気が仕切用付帯物
（障子１３）の上部の通気口（上部通気口１６）を介して開口側空間１５内に流入する。
従って、夏季に有効である。
【００３８】
尚、仕切用付帯物としては、上述した障子１３やカーテン、ブラインド等その他のもの
であっても良い。また、開口は、太陽光が入射する向きであっても良いし、太陽光が入射
しない向きであっても良い。更に、上述した実施例では開口１０を縁側や廊下となる床１
４の外縁部に設けているが、建物の外側壁に設けられる窓開口でも良い。また、開口１０
や窓開口に取り付けられるガラス戸や窓ガラスは固定であっても良いし開閉可能であって
も良い。更に、開口１０や窓開口に取り付けられるガラス戸や窓ガラスは透明、半透明又
は曇りガラスなどの透光性スリガラス等でも良い。また、ガラス戸や窓ガラスの代わりに
透明又は半透明などの透光性樹脂板等からなるパネルで開口１０や窓開口を開閉するよう
にすることもできる。
【００３９】
また、この発明の実施の形態の開口付建物構造において、前記開口１０は太陽光が入射
可能な向きに設けられ、前記パネル（ガラス戸１１）は太陽光が透過可能な透光部材であ
るので、冬季等において開口側空間１５の空気が日射により暖められると、この暖められ
た空気は自然対流により仕切用付帯物（障子１３）の上部の通気口（上部通気口１６）を
介して居室１２に流入する一方、居室１２内の冷たい空気が仕切用付帯物（障子１３）の
下部の通気口（下部通気口１７）を介して開口側空間内に流入する。
【００４０】
更に、この発明の実施の形態の開口付建物構造において、前記通気口（上部通気口１６
，下部通気口１７）は開閉可能に設けられているので、開口側空間１５と居室１２との熱
移動が必要ない場合には通気口（上部通気口１６，下部通気口１７）を閉じることができ
る。しかも、通気口（上部通気口１６，下部通気口１７）の開度を調整することで、熱移
動量を調整できる。
【００４１】
また、この発明の実施の形態の開口付建物構造において、前記開口側空間１５は廊下又
は縁側の開口側空間であり、前記仕切用付帯物は障子１３である構成としたので、開口１
０側からの光りが障子１３を介して居室１２内にソフトに入射すると共に、開口側空間１
５と居室１２との間の熱移動が障子１３に設けた通気口（上部通気口１６，下部通気口１
７）を介して行われる。
【図面の簡単な説明】
【００４２】
【図１】この発明に係る開口付建物構造の要部を概略的に示した説明図である。
【図２】図１の仕切用付帯物を詳細に示した作用説明図である。
【図３】図２の仕切用付帯物の作用説明図である。
【図４】従来の開口付建物構造の一例を示す概略説明図である。
【符号の説明】
【００４３】
１０…開口
１１…ガラス戸（パネル）
１２…居室
１３…障子（仕切用付帯物）
１５…開口側空間
１６…上部通気口（通気口）
１７…下部通気口（通気口）
【図１】
2005299229.tif 000003
【図２】
2005299229.tif 000004
【図３】
2005299229.tif 000005
【図４】
2005299229.tif 000006